(57)【要約】【課題】防護シートを電線から外すことなく、防護シートで覆われている部分の作業を可能にした間接活線用絶縁防護具を提供すること。【解決手段】間接活線用絶縁防護具１は、電線１００を挟み込む対をなす把持アーム１２を有し、電線１００に沿って並べて配置される一対のクリップ１０、１０と、把持アーム１２に取り付けられ、電線１００の周面の両側を覆う防護シート３０とを備え、把持アーム１２は、それぞれ外側に開閉可能な開閉部２２、２２を有し、防護シート３０は、開閉部２２、２２に取り付けられ、開閉部２２、２２は、間接活線工具によって把持可能な把持部２２ｃを有する。【選択図】図５
2017050988.tif 000002
【特許請求の範囲】
【請求項１】
電線を挟み込む対をなす把持アームを有し、電線に沿って並べて配置される一対のクリップと、
前記把持アームに取り付けられ、電線の周面の両側を覆う防護シートとを備え、
前記把持アームは、アーム本体と、当該アーム本体に取付けられ外側に開閉可能な開閉部とを有し、
前記防護シートは、前記開閉部に取り付けられ、
前記開閉部は、間接活線工具によって把持可能な把持部を有する、ことを特徴とする間接活線用絶縁防護具。
【請求項２】
一端部が一方のクリップの前記開閉部が固定され、中央部が前記防護シートに形成された孔部に通され、他端部が他方のクリップの前記開閉部に固定される棒状部材を更に備えることを特徴とする請求項１記載の間接活線用絶縁防護具。
【請求項３】
前記開閉部と前記アーム本体とにおける当接部位に互いに吸着、離間自在なマグネットを更に備えることを特徴とする請求項１又は２記載の間接活線用絶縁防護具。
【発明の詳細な説明】
【技術分野】
【０００１】
本発明は、高圧引下線や架空電線等の工事において、電線の所要箇所を防護シートによって予め被覆するために用いられる間接活線用絶縁防護具に関する。
【背景技術】
【０００２】
架空電線等の配電設備を工事する際には、電線が通電した状態において工事を行う活線工法が採用されているが、このような作業においては、架空電線の所要箇所を、絶縁性を有する防護シートによって予め被覆しておくことで、作業者が作業中に感電したり誤って短絡させたりする等の不測の事故の発生を防止している。
【０００３】
また、この種の技術としては、特許文献１に記載されている伸縮式絶縁防護具がある。この伸縮式絶縁防護具は、並設された３本の架空電線から延びる引下げ線に取り付けられる一対のクリップと、一対のクリップ間に配設され、引下げ線に沿わせて配設される伸縮可能な絶縁性の布等で構成された防具本体と、一対のクリップ間に設けられ、防具本体の伸縮方向の動きをガイドするガイド部材とによって構成されている。これにより、クリップを架空電線に沿って移動させることによって、防具本体の長さを調節する作業が容易に可能になる。
【先行技術文献】
【特許文献】
【０００４】
【特許文献１】特開２０１４−５７４８３号公報
【発明の概要】
【発明が解決しようとする課題】
【０００５】
しかしながら、電線における防護シートで覆われている部分が作業箇所である場合、例えば、間接活線工具を用いて引下げ線を切断する作業を行う場合には、作業箇所が防護シートで覆われたままでは作業に支障を来すおそれがある。このため、防護シートを移動させたり防護具を外したりする必要がある。
【０００６】
本発明は、このような問題点を解決し、防護シートを電線から外すことなく、防護シートで覆われている部分の作業を可能にした間接活線用絶縁防護具を提供することを目的とする。
【課題を解決するための手段】
【０００７】
前記目的を達成するため、本発明は、次に記載する構成を備えている。
【０００８】
（１）  電線を挟み込む対をなす把持アームを有し、電線に沿って並べて配置される一対のクリップと、前記把持アームに取り付けられ、電線の周面の両側を覆う防護シートとを備え、前記把持アームは、アーム本体と、当該アーム本体に取付けられ外側に開閉可能な開閉部とを有し、前記防護シートは、前記開閉部に取り付けられ、前記開閉部は、間接活線工具によって把持可能な把持部を有する、ことを特徴とする間接活線用絶縁防護具。
【０００９】
（１）によれば、開閉部を開閉させることにより、一対の把持アームが電線を把持した状態を維持しながら、防護シートのみ単独で開閉することが可能になる。これにより、防護シートで覆われている部分の作業を行う際に、開閉部を開いて防護シートを広げることにより、防護シートを外すことなく防護シートで覆われていた電線部分に所定の作業を施すことが可能になる。
【００１０】
（２）  （１）において、一端部が一方のクリップの前記開閉部が固定され、中央部が前記防護シートに形成された孔部に通され、他端部が他方のクリップの前記開閉部に固定される棒状部材を更に備えることを特徴とする間接活線用絶縁防護具。
【００１１】
（２）によれば、一対のクリップの開閉部が棒状部材によって連結されているため、一対のクリップの開閉部同士が連動するようになり、間接活線工具を使用した開閉部の開閉作業が容易になる。また、防護シートが金属棒に通されているため、防護シートの形状が安定する。
【００１２】
（３）  （１）又は（２）において、前記開閉部と前記アーム本体とにおける当接部位に互いに吸着、離間自在なマグネットを更に備えることを特徴とする間接活線用絶縁防護具。
【００１３】
（３）によれば、電線における防護シートで覆われた部分に所定の作業を施す際に、開閉部を開き、それ以外においては、開閉部を閉じた状態で維持することが可能になる。
【発明の効果】
【００１４】
本発明によれば、防護シートを電線から外すことなく、防護シートで覆われている部分の作業を可能にした間接活線用絶縁防護具を提供することが可能になる。
【図面の簡単な説明】
【００１５】
【図１】本発明の一実施形態おける間接活線用絶縁防護具１の構成を示す図である。
【図２】クリップ１０の構成を示す説明図である。
【図３】クリップ１０を開いた状態を示す説明図である。
【図４】クリップ１０を電線に取り付けかつ開閉部２２を開いた状態を示す説明図である。
【図５】図１において開閉部２２を開いた状態を示す説明図である。
【発明を実施するための形態】
【００１６】
以下、本発明の一実施形態について、図面を参照しながら詳細に説明する。
図１は、本発明の一実施形態おける間接活線用絶縁防護具１の構成を示す図であり、間接活線用絶縁防護具１は、一対のクリップ１０と、絶縁性を有する２枚の防護シート３０、３０と、棒状部材に相当する４本の金属棒４０と、を備えている。
【００１７】
一対のクリップ１０は、それぞれ電線１００を挟むものである。防護シート３０は、絶縁性を有する帯状部材からなる。防護シート３０における長手方向に沿った両側部には、複数の鳩目３２が形成されている。
【００１８】
金属棒４０は、所定間隔をおいて並列配置された２つのクリップ１０、１０を連結するとともに、防護シート３０の鳩目３２に通すことによって防護シート３０を支持する円柱状の長尺部材である。
【００１９】
図２は、クリップ１０の構成を示す説明図である。クリップ１０は、一対の把持アーム１２、１２と、回動軸１４と、図示しないトーションバネとを備えている。
把持アーム１２は、アーム本体２０と、開閉部２２と、回動軸２４と、シートマグネット２６、２８と、を備えている。
【００２０】
アーム本体２０は、長手方向に延びる先端部２０ａと、先端部２０ａから斜め方向に延びる基端部２０ｂとを備えている。一対の把持アーム１２、１２のアーム本体２０、２０は、先端部２０ａ、２０ａが互いに対向し、基端部２０ｂ、２０ｂが先端部２０ａ、２０ａから互いに離間するように配置されている。アーム本体２０、２０の先端部２０ａにおける基端部２０ｂ側の端部同士が回動軸１４によって連結されている。
【００２１】
更に、回動軸１４には、トーションバネの巻線部分が挿入され、トーションバネの両端部が基端部２０ｂ、２０ｂに内側から当接している。ここで、トーションバネは、常時、開く方向に基端部２０ｂ、２０ｂを付勢しているため、クリップ１０は、通常状態において、アーム本体２０、２０の先端部２０ａ、２０ａ同士が当接している。基端部２０ｂ、２０ｂ同士を閉じる方向に移動させることにより、図３に示すように、先端部２０ａ、２０ａ同士が開かれ、先端部２０ａ、２０ａの内側に電線１００を配置することが可能になる。
【００２２】
また、アーム本体２０、２０における先端部２０ａ、２０ａの対向部位は凹状に形成されている。このため、通常状態において、先端部２０ａ、２０ａの先端部分同士が当接し、先端部２０ａ、２０ａの間に電線１００より若干幅が狭い空間が形成される。また、アーム本体２０には、先端部２０ａの先端から外面を通って基端部２０ｂの一部まで延びる段部２０ｃが形成され、この段部２０ｃに開閉部２２が配置される。
【００２３】
開閉部２２は、段部２０ｃに配置される板状部分２２ａと、この板状部分２２ａの先端部に形成されたＬ字部分２２ｂと、を備えている。板状部分２２ａの後端部は、アーム本体２０の基端部に回動軸２４によって回動自在に取付けられている。また、回動軸２４の軸方向と、回動軸１４の軸方向とは互いに平行である。このため、開閉部２２は、先端部２０ａ、２０ａの開閉方向に沿って開閉可能であり、開閉部２２を閉じた状態においては、板状部分２２ａが段部２０ｃに収納され、Ｌ字部分２２ｂが先端部２０ａの先端に配置される。
【００２４】
ここで、段部２０ｃと板状部分２２ａとの当接部位には、それぞれシートマグネット２６、２８が固定されている。このため、開閉部２２を閉じた状態においては、アーム本体２０側のシートマグネット２６と、開閉部２２側のシートマグネット２８とが互いに吸着することにより、開閉部２２が閉じられた状態で維持される。
【００２５】
また、Ｌ字部分２２ｂからは、間接活線工具によって把持可能な把持部２２ｃが延在している。一対の把持アーム１２、１２において開閉部２２、２２を閉じた状態においては、図２に示すように、把持部２２ｃ、２２ｃが所定の間隔をおいて対向配置される。
【００２６】
また、開閉部２２の後端部とアーム本体２０との接触部位における摩擦抵抗が高いため、間接活線工具を操作して開閉部２２を開いた後に、間接活線工具を開閉部２２から離しても、開閉部２２を開いた状態で維持される。
【００２７】
開閉部２２の片方の側面の先端部及び後端部に、金属棒４０の端部を着脱自在に固定するための固定部４２、４２（図１参照）が形成されている。
【００２８】
そして、金属棒４０の一端部が、一方のクリップ１０の開閉部２２の固定部に固定され、防護シート３０の両側部に形成された孔部に相当する鳩目３２にそれぞれ金属棒４０の中央部が通され、金属棒４０の他端部が開閉部２２の固定部４２、４２（図１参照）に固定されることにより、図１に示す、間接活線用絶縁防護具１が構成される。
【００２９】
次に、間接活線用絶縁防護具１の電線１００への取付作業について説明する。作業員は、一般にヤットコと称される間接活線工具を２本操作して、一対のクリップ１０、１０の基端部２０ｂ、２０ｂを挟み込み、図３に示すように先端部２０ａ、２０ａを開く。そして、作業員は、間接活線工具を操作して、開かれた状態の一対のクリップ１０、１０の先端部２０ａ、２０ａの間に電線１００を通し、更に、間接活線工具を操作してクリップ１０の基端部２０ｂ、２０ｂの挟み込みを解除することにより、一対のクリップ１０が電線１００に取り付けられる。ここで、間接活線用絶縁防護具１は、所定間隔をおいて並列配置された２つのクリップ１０、１０の外面にそれぞれ防護シート３０、３０の両端部を取り付けたものであり、クリップ１０、１０を電線１００に取り付けることにより、電線１００の周面の両側に防護シート３０、３０が配置される。
【００３０】
電線１００における間接活線用絶縁防護具１が取り付けられた部分が作業対象となる場合、例えば、電線１００を切断する場合には、間接活線工具で把持部２２ｃを挟んで、図４、図５に示すように開閉部２２を開くことにより、吸着状態のシートマグネット２６、２８が離間するとともに、防護シート３０、３０が電線１００から離間する。この際、一対のクリップ１０、１０の開閉部２２が金属棒４０によって連結されているため、片方のクリップ１０の開閉部２２が回動すると、それに連動してもう片方のクリップ１０の開閉部２２が回動して、外側に開くようになる。これにより、電線１００の下方が開放されて電線１００が視認可能になるとともに作業スペースが確保され、電線１００の切断作業が容易に可能になる。
【００３１】
なお、電線１００が切断された場合に、電線１００の切断箇所の両側がクリップ１０、１０によって挟まれており、クリップ１０、１０は金属棒４０によって連結されているため、切断された電線１００が下方に垂下することが防止される。
【００３２】
以上説明したように構成された本実施形態によれば、間接活線用絶縁防護具１を電線１００に取り付けた後に、電線１００における防護シート３０、３０で覆われた部分に所定の作業を施す際に、開閉部２２、２２を開くことにより、一対の把持アーム１２、１２が電線１００を把持した状態を維持しながら、防護シート３０、３０のみ単独で開くことが可能になる。これにより、防護シート３０、３０で覆われている作業箇所が視認可能になるとともに作業スペースが確保され、防護シートを外すことなく防護シート３０、３０で覆われていた部分に所定の作業を施すことが可能になる。
【００３３】
また本実施形態によれば、クリップ１０、１０の開閉部２２、２２は金属棒４０によって連結されているため、開閉部２２、２２同士が連動するようになり、開閉部２２の開閉作業が容易になる。また、防護シート３０、３０が金属棒４０に通されているため、防護シートの形状が安定する。また、例えば、電線１００における防護シート３０、３０で覆われた部分において、電線を切断する作業を行った場合に、クリップ１０、１０は金属棒４０によって連結されているため、切断された電線１００が下方に垂下することが防止される。
【００３４】
また本実施形態によれば、開閉部２２とアーム本体２０とにおける当接部位に互いに吸着、離間自在なシートマグネット２６、２８を備えているため、電線１００における防護シート３０、３０で覆われた部分に所定の作業を施す際に、開閉部２２、２２を開き、それ以外においては、開閉部２２、２２を閉じた状態で維持することが可能になる。
【００３５】
以上、本発明の実施形態について説明したが、本発明の実施形態は上述した実施形態に限るものではない。例えば、シートマグネット２６、２８については、一方のクリップ１０を開いた場合に、金属棒４０に連結されている他方のクリップ１０が開くような吸着力を有するものを使用してもよい。これにより、間接活線用絶縁防護具１の電線への取付作業が容易になる。
【符号の説明】
【００３６】
１  間接活線用絶縁防護具
１０  クリップ
１２  把持アーム
１４  回動軸
２０  アーム本体
２０ａ  先端部
２０ｂ  基端部
２０ｃ  段部
２２  開閉部
２２ａ  板状部分
２２ｂ  Ｌ字部分
２２ｃ  把持部
２４  回動軸
２６、２８  シートマグネット
３０  防護シート
３２  鳩目
４０  金属棒
１００  電線
【図１】
2017050988.tif 000003
【図２】
2017050988.tif 000004
【図３】
2017050988.tif 000005
【図４】
2017050988.tif 000006
【図５】
2017050988.tif 000007